(57)【要約】【課題】居室内の空間を有効に活用しながら、住人が生活空間内で快適に過ごすことのできる住宅構造を提供する。【解決手段】住宅構造（１）は、幅方向に、窓（２０）と少なくとも１つの壁部（２１）とを有する外壁（１１）と、外壁（１１）に隣接する１対の側壁（１２，１３）と、外壁（１１）および１対の側壁（１２，１３）によって三方が囲まれた居室（１０）とを備えている。この場合、居室（１０）内には、窓（２０）の前に位置する窓前空間（３）を、閉鎖および開放するために可動式の移動仕切り部材（４）が設けられる。また、居室（１０）内において壁部（２１）および窓前空間（３）と隣接する位置には、収納空間（５）が配置される。収納空間（５）は、この窓前空間（３）からはカーテン（３２）などによって仕切られて配置される。【選択図】図１
2014234649.tif 000002
【特許請求の範囲】
【請求項１】
幅方向に、窓と少なくとも１つの壁部とを有する外壁と、
前記外壁に隣接する１対の側壁と、
前記外壁および前記１対の側壁によって三方が囲まれた居室と、
前記居室内において前記窓の前に位置する窓前空間を、閉鎖および開放するために設けられた移動仕切り部材と、
前記居室内において前記壁部および前記窓前空間と隣接し、前記窓前空間からは仕切られて配置される収納空間とを備える、住宅構造。
【請求項２】
前記窓前空間と前記収納空間との境界部の上方、および、前記窓の上方には、カーテンレールが取り付けられている、請求項１に記載の住宅構造。
【請求項３】
前記収納空間は、物品の出し入れのための、少なくとも１つの出入開口を有する第１の収納部を含む、請求項１または２に記載の住宅構造。
【請求項４】
前記出入開口は、前記窓前空間側を向くように配置されている、請求項３に記載の住宅構造。
【請求項５】
前記出入開口は、前記壁部の反対側を向くように配置されている、請求項３または４に記載の住宅構造。
【請求項６】
前記出入開口は、前記窓前空間の反対側を向くように配置されている、請求項３〜５のいずれかに記載の住宅構造。
【請求項７】
前記第１の収納部は、前記側壁と隣接しており、
前記出入開口は、隣接する前記側壁の一部に設けられている、請求項６に記載の住宅構造。
【請求項８】
前記収納空間は、仕切り壁を介して前記第１の収納部と隣接する第２の収納部をさらに含む、請求項３に記載の住宅構造。
【請求項９】
前記移動仕切り部材は、前記居室の床部から天井部まで延びている、請求項１〜８のいずれかに記載の住宅構造。
【請求項１０】
前記移動仕切り部材は、幅方向に移動可能であり、前記窓前空間が開放された状態においては、前記収納空間の屋内側に配置される、請求項９に記載の住宅構造。
【請求項１１】
前記収納空間の屋内側には、前記収納空間を仕切る袖壁が、前記床部から前記天井部まで延びるように配置されており、
前記移動仕切り部材は、前記窓前空間が開放された状態において、前記袖壁の屋内側に配置される、請求項１０に記載の住宅構造。
【発明の詳細な説明】
【技術分野】
【０００１】
本発明は、住宅構造であって、特に、外壁側の一部に窓が設けられた居室を含む住宅の構造に関する。
【背景技術】
【０００２】
集合住宅や戸建住宅において、居室の外壁には、居室内への採光を確保するために窓が設けられる。一方で、一時的な遮光やプライバシーを保護するために、居室内における窓の前は、カーテンやブラインドなどで覆われることが一般的である。
【０００３】
特開２０１０−２８１０４３号公報（特許文献１）には、居室窓を玄関側にまで拡張し、玄関への採光を確保するための採光窓が別途に設けられ、居室窓と採光窓との両方を遮光カーテンで覆うことが開示されている。
【０００４】
また、既存の住宅において、部屋内の冷房や暖房の効率を上げるために間仕切りが利用されることもある。たとえば特開２０１３−３２６４７号公報（特許文献２）には、部屋内に、間仕切り壁およびカーテン（遮熱シート）を配置することで、部屋よりも小さい断熱性のある別の新たな間仕切り部屋が形成されることが開示されている。ここでは、既存の居室において、人の出入りが必要な箇所すなわち、扉、出入り口、押し入れおよび収納家具に対応する箇所に、伸縮可能なカーテンが配置されている。
【先行技術文献】
【特許文献】
【０００５】
【特許文献１】特開２０１０−２８１０４３号公報
【特許文献２】特開２０１３−３２６４７号公報
【発明の概要】
【発明が解決しようとする課題】
【０００６】
一般的な住宅では、窓をカーテンで覆ったとしても、屋外からの光や音が窓およびカーテンを通過して居室内（生活空間）に入ってきてしまう。特許文献１のように居室窓を遮光カーテンで覆ったとしても、屋外からの音まで遮断することはできない。また、遮光カーテンのみでは、光が漏れ入ってくる場合もある。
【０００７】
また、いわゆる縁側のように、居室の窓際の空間を仕切るために、ふすまなどが設けられることがある。しかし、外壁の幅方向（横幅方向）全てが窓でない場合（壁部を有する場合）には、単に、窓際の空間を仕切るだけでは空間に無駄が生じる。
【０００８】
上記特許文献２に示される住宅では、窓の横に壁部がある居室において、窓際（外壁）から少し隔てた位置に間仕切り壁およびカーテンを配置することで、間仕切り部屋としての中央空間と窓際の空間とが仕切られている。しかしながら、当該住宅においては、単に、居室を囲む全ての壁際を断熱空間にすることを目的としているため、当該住宅においても、居室内の空間を有効に活用できているとはいえない。
【０００９】
本発明は、上記のような課題を解決するためになされたものであって、その目的は、居室内の空間を有効に活用しながら、住人が生活空間内で快適に過ごすことのできる住宅構造を提供することである。
【課題を解決するための手段】
【００１０】
この発明のある局面に従う住宅構造は、幅方向に、窓と少なくとも１つの壁部とを有する外壁と、外壁に隣接する１対の側壁と、外壁および１対の側壁によって三方が囲まれた居室と、居室内において窓の前に位置する窓前空間を、閉鎖および開放するために設けられた移動仕切り部材と、居室内において壁部および窓前空間と隣接し、窓前空間からは仕切られて配置される収納空間とを備える。
【００１１】
好ましくは、窓前空間と収納空間との境界部の上方、および、窓の上方には、カーテンレールが取り付けられている。
【００１２】
収納空間は、物品の出し入れのための、少なくとも１つの出入開口を有する第１の収納部を含むことが望ましい。
【００１３】
好ましくは、出入開口は、窓前空間側を向くように配置されている。
【００１４】
あるいは、出入開口は、壁部の反対側を向くように配置されていてもよい。
【００１５】
あるいは、出入開口は、窓前空間の反対側を向くように配置されていてもよい。
【００１６】
あるいは、第１の収納部が、側壁と隣接している場合、出入開口は、隣接する側壁の一部に設けられていてもよい。
【００１７】
収納空間は、仕切り壁を介して第１の収納部と隣接する第２の収納部をさらに含んでいてもよい。
【００１８】
好ましくは、移動仕切り部材は、居室の床部から天井部まで延びている。
【００１９】
好ましくは、移動仕切り部材は、幅方向に移動可能であり、窓前空間が開放された状態においては、収納空間の屋内側に配置される。
【００２０】
好ましくは、収納空間の屋内側には、収納空間を仕切る袖壁が、床部から天井部まで延びるように配置されており、移動仕切り部材は、窓前空間が開放された状態において、袖壁の屋内側に配置される。
【発明の効果】
【００２１】
本発明によれば、移動仕切り部材によって窓前空間を閉鎖および開放可能である。そのため、移動仕切り部材で窓前空間を開放した場合、窓からの光を生活空間に取り入れることができるとともに、移動仕切り部材で窓前空間を閉鎖した場合には、窓からの光や音の侵入を移動仕切り部材によって効率的に軽減することができる。その結果、住人は、生活空間内で快適に過ごすことが可能となる。
【００２２】
また、窓前空間と隣接する位置には、この窓前空間から仕切られて収納空間が配置されるため、居室内の空間を有効に活用することができる。
【図面の簡単な説明】
【００２３】
【図１】本発明の実施の形態１に係る住宅構造を模式的に示す模式断面図である。
【図２】本発明の実施の形態１に係る住宅構造を模式的に示す模式断面図である。
【図３】図１の矢印Ａ１から見た住宅構造を示す透視図である。
【図４】図２の矢印Ａ２から見た住宅構造を示す透視図である。
【図５】図２の矢印Ａ２から見た住宅構造の他の例を示す透視図である。
【図６】本発明の実施の形態２に係る住宅構造を模式的に示す模式断面図である。
【図７】本発明の実施の形態３に係る住宅構造を模式的に示す模式断面図である。
【図８】本発明の実施の形態４に係る住宅構造を模式的に示す模式断面図である。
【図９】本発明の実施の形態５に係る住宅構造を模式的に示す模式断面図である。
【図１０】本発明の実施の形態６に係る住宅構造を模式的に示す模式断面図である。
【図１１】本発明の実施の形態６に係る住宅構造の他の例を示す透視図である。
【図１２】本発明の実施の形態７に係る住宅構造を模式的に示す模式断面図である。
【図１３】本発明の実施の形態７に係る住宅構造を模式的に示す模式断面図である。
【図１４】一般的な住宅構造を模式的に示す模式断面図である。
【発明を実施するための形態】
【００２４】
本発明の実施の形態について図面を参照しながら詳細に説明する。なお、図中同一または相当部分には同一符号を付してその説明は繰返さない。
【００２５】
本実施の形態では、外壁側の一部に窓が設けられた居室を含む住宅の構造例について説明する。ここでまず、本実施の形態に係る住宅構造の説明に先立ち、このような住宅の一般的な構造について簡単に説明する。
【００２６】
図１４は、一般的な住宅構造１００を模式的に示す模式断面図である。
【００２７】
図１４を参照して、住宅構造１００において、居室１１０は、外壁１１と１対の側壁１２，１３とによって三方が囲まれている。この居室１１０は、たとえば寝室である。一般的な住宅構造１００では、外壁１１の反対側の壁（図示せず）側に、クローゼットなどの収納部（図示せず）が配置されている。その場合、居室１１０のうち、この収納部を除く空間が生活空間とされる。「生活空間」とは、居室内において住人の生活に用いられる空間であり、収納空間を含まない。
【００２８】
外壁１１は、幅方向に、窓２０と２つの壁部２１とを有している。「幅方向」とは、横幅方向を表わし、より具体的には水平方向を表わす。壁部２１はそれぞれ、窓２０の両側方に設けられている。外壁１１の屋内側の面における、窓２０の上方には、カーテン１３２を吊り下げるためのカーテンレール１３１が取り付けられている。一方の壁部２１の居室１１０側の面には、空調機２３が取り付けられる。
【００２９】
このような一般的な住宅構造１００では、日中、カーテン１３２を開けておくことで、窓２０を介して居室１１０内に光が取り込まれる。カーテン１３２の遮光性が低い場合には、カーテン１３２を閉めていても居室１０内への採光は可能である。一方で、夜間の就寝時などにおいては、カーテン１３２が閉められていても、屋外からの光や音が居室１１０内に入ってきてしまうことがある。特に、居室１１０が、マンションやアパート等の集合住宅における共用廊下側に位置しているような場合には、共用灯の光や同一フロアの住人の足音が居室１１０内に入ってくることが多い。また、逆に、居室１１０内の明かりや音が窓２０を介して外部に漏れてしまうことも、プライバシー保護やセキュリティの観点から好ましくない。なお、図１４では、屋外から居室１１０内に侵入してくる光や音が、一点鎖線矢印にて概念的に示されている。
【００３０】
そのため、住宅構造１００において、窓２０の屋外側にシャッター（図示せず）が設けられる場合がある。しかし、シャッターを状況に応じて開閉していると、外部から在室・不在の判別がつきやすくなってしまう。また、シャッターを閉じたままとすることもあるが、このような場合、日中も居室１１０内は暗い状態となってしまうため、望ましくない。
【００３１】
そこで、本実施の形態では、窓２０の前の窓前空間を閉鎖および開放可能な移動仕切り部材を設けることとしている。以下に、移動仕切り部材を備えた住宅の構造例について説明する。なお、以下の各実施の形態においても、図１４に示した一般的な住宅構造１００と同じ構成については同じ符号が用いられている。
【００３２】
＜実施の形態１＞
図１および図２は、本発明の実施の形態１に係る住宅構造１を模式的に示す模式断面図である。図３および図４は、それぞれ、図１の矢印Ａ１および図２の矢印Ａ２から見た住宅構造１を示す透視図である。図１および図３には、移動仕切り部材４が全閉状態である場合が示されており、図２および図４には、移動仕切り部材４が全開状態である場合が示されている。
【００３３】
図１〜図４を参照して、本実施の形態に係る住宅構造１は、外壁１１と、外壁１１に隣接する１対の側壁１２，１３と、これらによって三方が囲まれた居室１０とを備えている。居室１０は、上記居室１１０と同様に、たとえば寝室であることとするが、限定的ではない。居室１０は、住人の居場所となり得る部屋であればよく、たとえばリビングやダイニングなどであってもよい。
【００３４】
外壁１１は、幅方向に、窓２０と２つの壁部２１とを有している。壁部２１はそれぞれ、窓２０の両側方に設けられている。側壁１２，１３はいずれも、他住戸との境界に位置する界壁であってもよいし、同一住戸内の隣室または廊下との境界に位置する間仕切り壁であってもよい。あるいは、側壁１２，１３の少なくとも一方も外壁であってもよい。
【００３５】
住宅構造１においては、この居室１０内に、移動仕切り部材４が設けられている。移動仕切り部材４は、居室１０内における窓前空間３を閉鎖および開放するために、窓２０から所定の間隔をあけて設けられる。移動仕切り部材４は、遮光性能および遮音性能の両方を有していることが望ましいが、少なくともいずれか一方のみを有していればよい。移動仕切り部材４は、たとえば、幅方向に移動可能な複数の引き戸で構成される。なお、窓前空間３は、居室１０において窓２０の前すなわち屋内側に位置する空間である。窓前空間３の幅は、窓２０の幅Ｌ１に相当し、その高さは、床部１５から天井部１４までの高さに相当する。
【００３６】
本実施の形態では、図２に示されるように、移動仕切り部材４が配置される面であって、外壁１１と略平行な間仕切り面１７よりも屋内側が生活空間１６となる。間仕切り面１７は、四辺が側壁１２，１３、天井部１４および床部１５に接する仮想的な面である。
【００３７】
間仕切り面１７よりも窓２０側に位置する窓際空間のうち、窓前空間３の両隣りは収納空間５とされている。つまり、各収納空間５は、居室１０内において、各壁部２１の前であって窓前空間３と隣接する位置に設けられている。収納空間５の高さは、床部１５から天井部１４までの高さに相当し、窓前空間３からは仕切られて配置されている。本実施の形態では、窓前空間３と収納空間５とは、後述するように、カーテン３２によって仕切られる。
【００３８】
各収納空間５の屋内側には、袖壁６が、間仕切り面１７に沿って、床部１５から天井部１４まで延びるように配置されている。袖壁６は、それぞれ、幅方向一端が居室１０の側壁１２，１３と接している。本実施の形態において、外壁１１の壁部２１、側壁１２，１３の一方および袖壁６で囲まれる各収納空間５には、収納部５１が設けられている。各収納部５１は、物品の出し入れのための、少なくとも１つの出入開口５１ａを有する。一方の収納部５１は、側壁１２と窓前空間３との間に設けられ、他方の収納部５１は、側壁１３と窓前空間３との間に設けられている。各収納部５１は、図４に示されるようにたとえば収納棚であることとするが、吊竿を有するクローゼットなどであってもよい。
【００３９】
一方（側壁１３側）の袖壁６の屋内側には、図２および図４に示されるように、窓前空間３が開放された状態において、移動仕切り部材４が配置される。移動仕切り部材４は、そのとき、すなわち全開状態において、一方の袖壁６の幅に収まるように構成されていることが望ましい。なお、移動仕切り部材４が全開状態とされたときの開口幅（ここでは、２つの袖壁６間の間隔）Ｌ２は、建築基準法に準拠するために、窓２０の幅Ｌ１以上とされている。また、移動仕切り部材４が、床部１５から天井部１４まで延びるように構成されることで、移動仕切り部材４が全開状態とされたときの開口高さは、天井部１４までの開放性が確保されている。
【００４０】
このように、移動仕切り部材４が一方の袖壁６の方にのみ重ねられるようにすることで、他方（側壁１２側）の袖壁６の屋内側の面には、空調機２３が設置可能である。この場合、空調機２３と室外機（図示せず）とを接続する管が、当該袖壁６、収納部５１および外壁１１を貫通するように配設されてよい。
【００４１】
このような住宅において、住人は、移動仕切り部材４を幅方向に移動させることで、窓前空間３を閉鎖したり開放したりすることができる。たとえば日中は、図２および図４に示されるように、移動仕切り部材４を全開状態とすることで、窓前空間３を開放する。これにより、窓２０を介して入ってくる屋外からの光や、窓２０を開けたときに入ってくる風を、生活空間１６側にまで取り込むことができる。
【００４２】
これに対し、たとえば夜間には、図１および図３に示されるように、移動仕切り部材４を全閉状態とすることで、窓前空間３を閉鎖する。これにより、窓２０を介して入ってくる屋外からの光や音を、移動仕切り部材４によって遮断することができる。したがって、居室１０の生活空間１６において、住人は、快適に過ごすことができる。また、移動仕切り部材４を全閉状態とした場合、窓前空間３および収納空間５で構成される窓際空間（間仕切り面１７よりも窓２０側の空間）が、２つの袖壁６および移動仕切り部材４により密閉されるため、遮熱効果も期待できる。
【００４３】
ここで、本実施の形態では、図４に示されるように、収納部５１の出入開口５１ａは、窓前空間３側を向くように配置されている。この場合、窓２０の上方だけでなく、窓前空間３と収納部５１（収納空間５）との境界部の上方にも、カーテンレール３１が取り付けられることが望ましい。これにより、窓前空間３と収納空間５とは、カーテン３２によって仕切られる。なお、これらの空間３，５を仕切る部材、すなわちカーテン３２は、窓２０の下端縁の位置によっては、床部１４まで延びていなくてもよい。つまり、窓２０が図示されるような腰窓のような場合には、カーテン３２は、少なくとも、天井部１４から窓２０の下端縁高さまでの空間を仕切ることができればよい。
【００４４】
カーテンレール３１は、たとえば、Ｕ字形状を有しており、天井部１４において、三方に渡って一体的に（連続的に）取り付けられる。この場合、カーテン３２は、幅方向においてたとえば２つに分割されている。これにより、窓２０のカーテン３２が開け放たれた状態で、収納部５１の出入開口５１ａをカーテン３２で覆うことができる。そのため、収納部５１の内部が見えるのを防止することができるとともに、収納部５１内の物品の日焼けを防止することができる。あるいは、カーテン３２は、窓２０を覆う場合にも、収納部５１の出入開口５１ａも覆えるように構成されてもよい。なお、図３および図４には、説明の容易のためにカーテン３２の図示を省略している。
【００４５】
なお、本実施の形態では、カーテンレール３１が天井部１４に取り付けられることとしたが限定的ではない。図５に示されるように、収納部５１の出入開口５１ａ上部に、天井部１４から下方向に延出された上壁３３を設ける場合、カーテンレール３１Ａが、外壁１１の屋内側の面のうち窓２０の上方に位置する部分２２と、当該上壁３３とに渡って一体的に設けられてもよい。この場合、窓前空間３と収納空間５とは、上壁３３とカーテン３２とによって仕切られる。
【００４６】
以上説明したように、本実施の形態では、移動仕切り部材４と袖壁６とによって区切られる窓際空間のうち、窓前空間３の両隣りの空間に収納部５１が配置される。一般的な住宅構造１００では、外壁１１の反対側の壁（図示せず）側にクローゼットなどの収納部が配置されるが、これに代えて、窓際空間内に収納部５１を配置することで、居室１０内の空間を有効に活用することができる。なお、上記特許文献２に示される住宅では、窓前空間の横に本棚が配置されているが、ここでは、窓前空間と連続する空間内に本棚が配置されているに過ぎず、窓前空間と収納空間とは仕切られていない。
【００４７】
なお、本実施の形態では、移動仕切り部材４は、複数の引き戸で構成されることとして説明したが、移動仕切り部材４が重ねられる方の袖壁６の幅が十分にある場合には、１つの引き戸で構成されてもよい。
【００４８】
また、本実施の形態では、移動仕切り部材４は、引き戸で構成されることとしたが、窓前空間３を閉鎖および開放することができ、全閉状態において床部１５から天井部１４近傍にまで延びる部材であれば、他の部材で構成されてもよい。たとえば、上下方向にスクロール可能な部材、幅方向に伸縮可能な部材、あるいは、開き戸などによって構成されてもよい。なお、天井部１４近傍とは、天井部１４から窓２０の上端縁高さまでを表す。
【００４９】
また、本実施の形態では、移動仕切り部材４は、１方の袖壁６にのみ重ねられることとしたが、空調機２３が必要でない場合等においては、両方の袖壁６に重ねられるようにしてもよい。
【００５０】
＜実施の形態２＞
本実施の形態では、窓の一側方にのみ壁部を有する住宅の構造例について説明する。以下に、実施の形態１との相違点のみ詳細に説明する。
【００５１】
図６は、本発明の実施の形態２に係る住宅構造１Ａを模式的に示す模式断面図である。図６を参照して、本実施の形態では、窓２０は、外壁１１Ａにおいて、側壁１２側に片寄って配置されている。つまり、外壁１１Ａは、窓２０の一側方（側壁１３側）にのみ壁部２１を有している。この場合、窓前空間３は、側壁１２と隣接するため、収納部５１（収納空間５）は、側壁１３側にのみ設けられる。したがって、袖壁６も、側壁１３側にのみ設けられる。また、天井部１４には、Ｌ字状のカーテンレール３１Ｂが取り付けられている。
【００５２】
移動仕切り部材４は、全開状態において１つの袖壁６に収まるように配置される。本実施の形態では、移動仕切り部材４が全開状態とされたときの開口幅ＬＡ２は、袖壁６と、窓前空間３と隣接する側壁１２との間の間隔として表される。この場合も、当該開口幅ＬＡ２は、窓２０の幅ＬＡ１以上であればよい。これにより、本実施の形態においても、窓２０を介して入ってくる屋外からの光や、窓２０を開けたときに入ってくる風を、生活空間１６側にまで取り込むことができる。
【００５３】
また、移動仕切り部材４が全閉状態とされた場合にも、窓前空間３が閉鎖されるため、窓２０を介して入ってくる屋外からの光や音を、移動仕切り部材４によって遮断することができる。したがって、上記実施の形態１と同様に、居室１０の生活空間１６において、住人は、快適に過ごすことができる。
【００５４】
なお、全開状態においても、移動仕切り部材４の側壁１３側の端部と側壁１３との間に隙間ができるように構成しておけば、生活空間１６内に位置する側壁１３に空調機を取り付けることもできる。つまり、当該隙間および袖壁６を貫通するように、空調機の管が配設されてもよい。
【００５５】
＜実施の形態３＞
本実施の形態では、収納部が２つの出入開口を有する住宅の構造例について説明する。以下に、実施の形態２との相違点のみ詳細に説明する。
【００５６】
図７は、本発明の実施の形態３に係る住宅構造１Ｂを模式的に示す模式断面図である。上記実施の形態２では、収納部５１（収納空間５）が、側壁１３と接していたが、本実施の形態では、図７に示されるように側壁１３との間に間隔をあけて配置されている。この場合、袖壁６も側壁１３から間隔をあけて配置される。
【００５７】
本実施の形態において、収納部５１は、窓前空間３側を向く出入開口５１ａに加え、その反対側を向く出入開口５１ｂをさらに有している。この場合、移動仕切り部材４が閉じられたままでも、出入開口５１ｂから収納部５１に物品を出し入れすることができる。また、外壁１１の壁部２１全体の幅が広い場合には、間仕切り面１７よりも窓２０側の窓際空間のうちの収納部５１と側壁１３との間の空間も、生活空間１６の一部とすることができる。したがって、生活空間１６を広く取りたい場合などにも有効である。
【００５８】
なお、屋外側からの音が生活空間１６に漏れるのを防止するためには、収納部５１の出入開口５１ｂ側を塞ぐための部材（たとえば開き戸などの扉部）が設けられることが望ましい。
【００５９】
＜実施の形態４＞
本実施の形態では、収納部の出入開口が、窓前空間側以外の位置に設けられた住宅の構造例について説明する。本実施の形態においても、実施の形態２との相違点のみ詳細に説明する。
【００６０】
図８は、本発明の実施の形態４に係る住宅構造１Ｃを模式的に示す模式断面図である。図８を参照して、本実施の形態では、窓前空間３と収納部５１との境界部に、仕切り壁７が設けられている。仕切り壁７は、床部１５から天井部１４まで延びている。住宅構造１Ｃでは、窓前空間３と収納部５１とが仕切り壁７によって仕切られているため、カーテンレール３１Ｃは、図１４に示した一般的な住宅構造１００のカーテンレール１３１と同様に、窓２０の上方にのみ設けられている。
【００６１】
この場合、収納部５１の出入開口５１ａは、壁部２１の反対側を向くように、すなわち屋内側を向くように配置されている。したがって、移動仕切り部材４が全閉状態とされた場合に、収納部５１の出入開口５１ａは開放され、移動仕切り部材４が全開状態とされた場合に、収納部５１の出入開口５１ａは移動仕切り部材４によって塞がれる。
【００６２】
本実施の形態によれば、窓前空間３が移動仕切り部材４によって閉鎖された状態で、収納部５１への物品の出し入れができる。そのため、収納部５１を使用する場合でも、移動仕切り部材４を開方向に移動させなくてよいため、意図せずに屋外からの光や音が生活空間１６に漏れ入ってくることがなくなる。したがって、住人は、生活空間１６内においてより快適に過ごすことができる。
【００６３】
また、屋内側に出入開口５１ａが配置されているため、収納部５１を飾り棚として使用することもできる。
【００６４】
なお、本実施の形態では、移動仕切り部材４が全閉状態とされた場合に、収納部５１の出入開口５１ａが開放されることとした。しかしながら、たとえば移動仕切り部材４を構成する引き戸の数を増やすことで、全閉状態においても出入開口５１ａを塞げるようにしてもよい。
【００６５】
＜実施の形態５＞
本実施の形態では、収納部の出入開口が、側壁に設けられた住宅の構造例について説明する。本実施の形態では、実施の形態４との相違点のみ詳細に説明する。
【００６６】
図９は、本発明の実施の形態５に係る住宅構造１Ｄを模式的に示す模式断面図である。図９を参照して、本実施の形態では、収納部５１の出入開口５１ａが、側壁１３の一部に設けられている。収納部５１の屋内側は、実施の形態２等と同様に、袖壁６が配置されている。したがって、本実施の形態では、側壁１３の外側から、収納部５１への物品の出し入れが可能である。
【００６７】
たとえば側壁１３が隣室との間仕切り壁の場合には、隣室側から収納部５１への物品の出し入れをすることができる。この場合、収納部５１を、隣室から出入り可能なウォークインクローゼットとして使用することもできる。
【００６８】
あるいは、側壁１３が外壁である場合には、屋外から収納部５１への物品の出し入れをすることができる。この場合、収納部５１を倉庫として使用することができる。
【００６９】
＜実施の形態６＞
本実施の形態では、１つの収納空間に複数の収納部が配置された住宅の構造例について説明する。本実施の形態においても、実施の形態２との相違点のみ詳細に説明する。
【００７０】
図１０は、本発明の実施の形態６に係る住宅構造１Ｅを模式的に示す模式断面図である。図１０を参照して、本実施の形態では、収納空間５に、２つの収納部５１，５２が設けられている。収納部５１，５２は、仕切り壁８を介して隣接している。仕切り壁８は、側壁１３と平行であって、壁部２１と直交するように配置される。仕切り壁８は、床部１５から天井部１４まで延びていてよい。
【００７１】
幅方向において、収納部５１は、窓前空間３と仕切り壁８との間に配置され、その出入開口５１ａは、窓前空間３側に設けられている。収納部５２は、仕切り壁８と側壁１３との間に配置され、その出入開口５２ａは、屋内側すなわち生活空間１６側に設けられている。この場合、袖壁６Ａは、収納部５１の屋内側にのみ配置されている。つまり、袖壁６Ａは、側壁１３から離れた位置に配置されている。
【００７２】
本実施の形態によれば、１つの収納空間５に、２つの収納部５１，５２が設けられるため、収納する物品の種類に応じて収納部５１，５２を使い分けることができる。たとえば、使用頻度の低い物品を収納部５１に収納し、使用頻度の高い物品を、屋内側から取り出せる収納部５２に収納してもよい。
【００７３】
移動仕切り部材４は、袖壁６Ａを越えて側壁１３側には移動できないように構成されていてよい。この場合、収納部５２の出入開口５２ａ側を塞ぐ部材が設けられてもよい。
【００７４】
なお、袖壁６Ａは、側壁１３から間隔をあけて配置されることとしたが、一部のみ、側壁１３まで拡張されていてもよい。その例について図１１を参照して説明する。
【００７５】
図１１は、住宅構造１Ｅの他の例を示す透視図である。図１１を参照して、袖壁６Ａは、上部６１のみ側壁１３と接している。このようにすることで、袖壁６Ａの上部６１に、空調機２３を取り付けることができる。
【００７６】
なお、袖壁６Ａが側壁１３から完全に離れて配置されている場合においては、側壁１３に空調機２３を取付けてもよい。その場合、空調機２３から延びる管が、収納部５２の上方空間を貫通するように配設されてよい。
【００７７】
本実施の形態では、２つの収納部が幅方向に並んで配置されることとしたが、限定的ではない。たとえば、出入開口の向きが異なる２つの収納部が、高さ方向（上下方向）に並んで配置されてもよい。あるいは、３つ以上の収納部が、幅方向および高さ方向の少なくとも一方方向に並べられてもよい。
【００７８】
＜実施の形態７＞
本実施の形態では、収納空間に収納部が含まれない住宅の構造例について説明する。本実施の形態においても、実施の形態２との相違点のみ詳細に説明する。
【００７９】
図１２および図１３は、本発明の実施の形態７に係る住宅構造１Ｆを模式的に示す模式断面図である。図１２には、移動仕切り部材４が全閉状態である場合が示されており、図１３には、移動仕切り部材４が全開状態である場合が示されている。
【００８０】
図１２および図１３を参照して、収納空間５は、壁部２１の前であって窓前空間３と隣接する位置に設けられている。本実施の形態では、収納空間５の屋内側に袖壁が設けられていない。代わりに、移動仕切り部材４によって収納空間５の屋内側も仕切られる。つまり、収納空間５は、外壁１１の壁部２１、側壁１３、移動仕切り部材４およびカーテン３２によって仕切ることができる空間である。そのため、カーテン３２を窓２０側に（閉方向に）移動させることで、窓前空間３側から収納空間５への物品の出し入れが可能である。また、移動仕切り部材４を側壁１２側に移動させることで、生活空間１６側から収納空間５への物品の出し入れが可能である。このように、窓前空間３の隣を単に収納空間５とする場合には、収納空間５にゴルフバッグなど比較的大きい物品を収納したり、既存の家具を配置したりすることもできる。
【００８１】
なお、窓前空間３の隣を単に収納空間５とする場合には、図１２に示されるように、移動仕切り部材４は、窓前空間３を閉鎖した状態（全閉状態）においても、収納空間５の屋内側を塞ぐことができるように構成されていることが望ましい。
【００８２】
以上説明した各実施の形態によれば、移動仕切り部材を利用することで、状況に応じて窓からの光や音を生活空間内に取り入れたり遮断したりすることができる。さらに、生活空間内の明かりや音が外部に漏れることも防止できるため、プライバシー保護が図れるだけでなく、在室・不在の判別もつきにくくなるため、セキュリティ向上を図ることもできる。
【００８３】
また、移動仕切り部材によって閉鎖される窓前空間の隣には、カーテンなどによって窓前空間から仕切られた収納空間が配置される。したがって、居室内の空間を有効に活用することができる。
【００８４】
なお、上記各実施の形態を、適宜組み合わせてもよい。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８６】
１，１Ａ，１Ｂ，１Ｃ，１Ｄ，１Ｅ，１Ｆ，１００  住宅構造、３  窓前空間、４  移動仕切り部材、５  収納空間、６，６Ａ  袖壁、７，８  仕切り壁、１０，１１０  居室、１１，１１Ａ  外壁、１２，１３  側壁、１４  天井部、１５  床部、１６  生活空間、１７  間仕切り面、２０  窓、２１  壁部、２３  空調機、３１，３１Ａ，３１Ｂ，３１Ｃ，１３１  カーテンレール、３２，１３２  カーテン、３３  上壁、５１，５２  収納部、５１ａ，５１ｂ，５２ａ  出入開口。
【図１】
2014234649.tif 000003
【図２】
2014234649.tif 000004
【図３】
2014234649.tif 000005
【図４】
2014234649.tif 000006
【図５】
2014234649.tif 000007
【図６】
2014234649.tif 000008
【図７】
2014234649.tif 000009
【図８】
2014234649.tif 000010
【図９】
2014234649.tif 000011
【図１０】
2014234649.tif 000012
【図１１】
2014234649.tif 000013
【図１２】
2014234649.tif 000014
【図１３】
2014234649.tif 000015
【図１４】
2014234649.tif 000016